(57)【特許請求の範囲】
【請求項１】
装置本体の所定位置に、記録媒体挿入口を開閉する蓋体を、両てこ機構から成る蓋体開閉機構により開閉動自在に設け、
上記蓋体開閉機構は、
上記装置本体に固定された第１のリンクと、
この第１のリンクに支持された第１及び第２の支点軸と、
上記蓋体に取付けられた第３のリンクと、
この第３のリンクに支持された第３及び第４の支点軸と、
上記第２の支点軸と上記第３の支点軸とに支持された第２のリンクと、
上記第１の支点軸と上記第４の支点軸とに支持された第４のリンクと、
上記第１のリンクと上記第２のリンクとの間に介在され、付勢力が作用することにより、上記蓋体を開閉動させる弾性部材とで構成され、
基準点を境として、上記弾性部材の付勢力が上記蓋体を閉じる方向に働く第１の状態と、上記蓋体を開く方向に働く第２の状態とを有することを特徴とする扉開閉機構。
【請求項２】
上記基準点は、上記弾性部材の付勢力が作用して移動する前記第４の支点軸が、平衡点の状態にあることを特徴とする請求項１に記載の扉開閉機構。
【請求項３】
装置本体の所定位置に、記録媒体挿入口を開閉する蓋体を、両てこ機構から成る蓋体開閉機構により開閉動自在に設け、
上記蓋体開閉機構は、
上記装置本体に固定された第１のリンクと、
この第１のリンクに支持された第１及び第２の支点軸と、
上記蓋体に取付けられた第３のリンクと、
この第３のリンクに支持された第３及び第４の支点軸と、
上記第２の支点軸と上記第３の支点軸とに支持された第２のリンクと、
上記第１の支点軸と上記第４の支点軸とに支持された第４のリンクと、
上記第１のリンクと上記第２のリンクとの間に介在され、付勢力が作用することにより、上記蓋体を開閉動させる弾性部材とで構成され、
基準点を境として、上記弾性部材の付勢力が上記蓋体を閉じる方向に働く第１の状態と、上記蓋体を開く方向に働く第２の状態とを有する扉開閉機構を備えることを特徴とする電子機器。
【発明の詳細な説明】
【０００１】
【発明の属する技術分野】
この発明は、記録媒体として光磁気ディスクを用いる光磁気ディスクドライブ装置等の扉開閉機構および電子機器に関するものである。
【０００２】
【従来の技術】
例えば、記録媒体として光磁気ディスクを用いる光磁気ディスクドライブ装置（光磁気記録再生装置）が知られている。これを、図２１〜図２４によって具体的に説明すると、光磁気ディスクドライブ装置１００の装置本体１０１は、筐形に形成してあり、この装置本体１０１の前部を構成するフロントパネル１０２の中央にディスクカートリッジ挿入口１０３を形成してある。このディスクカートリッジ挿入口１０３から挿入された図示しないディスクカートリッジ内の光磁気ディスクＤは、図示しない光学ピックアップと外部磁界及びローディング機構等から成る記録・再生部１０４の図示しないターンテーブル上に装着されて所定の情報（データ）を記録，消去，再生するようになっている。この記録，消去，再生する方式は非接触型であるため、データを読み書きする部分である上記光学ピックアップの対物レンズ及びデータを保管する光磁気ディスクＤ上の塵，埃等はデータの再現性を左右する大きな要因となる。特に高密度化が進み、放送局業務用等の高い信頼性が要求される場合には、わずかな塵，埃等の流入が問題となってくる。そこで、装置本体１０１の背面側には、図示しない電気基板の冷却用の風を供給する冷却風供給口１０５を設けてあるが、この冷却風供給口１０５にファンモータ１０６及びフィルタ１０７を設けて、装置本体１０１内への塵，埃等のゴミの侵入を防いでいる。さらに、ディスクカートリッジ挿入口１０３から空気と共に塵，埃等を吸い込まないように、該ディスクカートリッジ挿入口１０３内にはディスクカートリッジのローディング動作に連動して開閉する図示しない前蓋を取付けてある。
【０００３】
また、図２５，図２６は他の従来例の光磁気ディスクドライブ装置１００′を示す。この他の従来例の光磁気ディスクドライブ装置１００′では、装置本体１０１内において記録・再生部１０４を該記録・再生部１０４の外筐を構成する筐形のシャーシにより冷却風供給口１０５に対して離隔するように隔成配設し、記録・再生部１０４での空気の流れを起こさせないようにしてある。
【０００４】
【発明が解決しようとする課題】
しかしながら、上記従来の光磁気ディスクドライブ装置１００，１００′では、図２３及び図２５中矢印で示すように、光磁気ディスクＤ自体が回転すると、該光磁気ディスクＤのまわりの空気に乱流Ｎが発生し、図示しない前蓋等のシャッタが設けられているディスクカートリッジ挿入口１０３の僅かな隙間から塵，埃等を含んだ空気を吸い込んでしまう欠点があった。
【０００５】
この光磁気ディスクＤの回転によるディスクカートリッジ挿入口１０３からの塵，埃等の流入を防止するために、図２７（ａ），（ｂ）に示すように、フロントドア１０２のディスクカートリッジ挿入口１０３の全体を完全に被うフロントドア１１０を開閉可能に設けているが、このフロントドア１１０の密閉機構にマグネット或はスライドロック等のロック機構を使うと、誤動作によるロックはずれ状態が発生した場合、フロントドア１１０が自重で開いて防塵効果を満足させない結果になる。また、光磁気ディスクＤを収納したディスクカートリッジの入れ替え時に迅速な操作性が要求される場合、ロック機構のロック解除操作が必要不可欠となって迅速な操作に対応できない。そこで、ロック機構を使わずに、図２７（ａ）に示すように、１本の軸１１２と引張りコイルバネ１１３等から成るヒンジ機構１１１や、図２７（ｂ）に示すように、１本の軸１１２と捩りコイルバネ１１３′等から成るヒンジ機構１１１′を使っていた。しかし、これらのヒンジ機構１１１，１１１′では、フロントドア１１０を閉める力Ｅは、軸１１２の周りに発生する回転モーメントＦだけになり、バネ１１３，１１３′による起動力を有効に開閉動作に利用することは難しかった。これにより、光磁気ディスクＤの回転によるディスクカートリッジ挿入口１０３とフロントドア１１０の僅かな隙間からの塵，埃等の流入を確実に防ぐことが難しくて防塵性が劣った。
【０００６】
そこで、この発明は、記録媒体の出し入れの操作性及び防塵性に優れた扉開閉機構および電子機器を提供するものである。
【０００７】
装置本体の所定位置に、記録媒体挿入口を開閉する蓋体を、両てこ機構から成る蓋体開閉機構により開閉動自在に設け、上記蓋体開閉機構は、上記装置本体に固定された第１のリンクと、この第１のリンクに支持された第１及び第２の支点軸と、上記蓋体に取付けられた第３のリンクと、この第３のリンクに支持された第３及び第４の支点軸と、上記第２の支点軸と上記第３の支点軸とに支持された第２のリンクと、上記第１の支点軸と上記第４の支点軸とに支持された第４のリンクと、上記第１のリンクと上記第２のリンクとの間に介在され、付勢力が作用することにより、上記蓋体を開閉動させる弾性部材とで構成され、基準点を境として、上記弾性部材の付勢力が上記蓋体を閉じる方向に働く第１の状態と、上記蓋体を開く方向に働く第２の状態とを有する。
【０００８】
両てこ機構からなる蓋体開閉機構に、蓋体が閉じる方向に付勢される第１の状態と、蓋体が開く方向に付勢される第２の状態との間に基準位置を設けることにより、蓋体の閉状態および開状態を夫々維持することができる。その結果、記録媒体の挿入時には蓋体を開けた状態に、それ以外の時には蓋体を閉めた状態にすることが、ロック解除の動作なしでスムーズに行うことができる。このため、記録媒体挿入口を閉じる際に、記録媒体挿入口を蓋体により隙間なく完全に遮蔽することができ、蓋体と記録媒体挿入口との間からの記録・再生部内への塵・埃等の進入を確実に防止できる。
【０００９】
【発明の実施の形態】
以下、この発明の具体的な実施の形態例について図面を参照して説明する。
【００１０】
図１〜図７は、この発明の一実施形態例の光磁気ディスクドライブ装置（記録再生装置）１を示す。この光磁気ディスクドライブ装置１は、図示しない偏平筐形のカートリッジ本体内に例えば両面使用可能な光磁気ディスク（記録媒体）Ｄを回転自在に収納したディスクカートリッジを用いるものである。この光磁気ディスクドライブ装置１の装置本体２は、図３，図４に示すように、金属製の筐形で前面が開口した外筐３と、この外筐３の前面開口部３ａを被うようにして該外筐３に取付けられた合成樹脂製のフロントパネル４とで構成されている。上記外筐３の背面の一端部側には冷却風供給口３ｂを設けてある。この冷却風供給口３ｂに対向する外筐３の背面の内側にはモータ駆動するファン７を取付けてあり、該外筐３内に配置された電気基板８等が冷却されるようになっている。また、フロントパネル４の略中央部には、上記ディスクカートリッジが挿入される横長で矩形のディスクカートリッジ挿入口（記録媒体挿入口）５を形成してある。
【００１１】
図１（ａ），図９に示すように、フロントパネル４の裏面の上記ディスクカートリッジ挿入口５より少し離れた周囲には、矩形環状の凹溝部４ａを一体突出形成してある。この矩形環状の凹溝部４ａには、スポンジ用台座シート６ａ等を介して矩形枠状のシール部材としてのスポンジ（海綿）部材６を嵌合，貼付してある。この矩形枠状のスポンジ部材６には、光磁気ディスクＤに情報を記録或は再生する記録・再生部の外筐を構成する金属製で筐形のシャーシ９の前側開口部の縁部を密着当接してある。これにより、上記シャーシ９は上記冷却風供給口３ａからの空気の流れ（図１８，１９中符号Ｍで示す）に対して離隔するように外筐３内においてフロントパネル４側に隔成配設されている。このシャーシ９内には、上記ディスクカートリッジをスピンドルにより回転するターンテーブル（ディスク装着部）上にローディングさせるカートリッジホルダ等から成るローディング機構と、このターンテーブル上に載置されるディスクカートリッジの光磁気ディスクＤにレーザー光を照射してその反射光から映像，音声データ等の記録情報を読み取って再生する光学ピックアップと、この光学ピックアップの対物レンズ等を介して光磁気ディスクＤにレーザービームスポットを集光させ、光磁気効果を利用して映像，音声データ等の情報を光磁気ディスクＤに記録，消去させる外部磁界（いずれも図示しない）等を配設してある。
【００１２】
また、フロントパネル４の表面のディスクカートリッジ挿入口５の周囲には、高さ０．１ｍｍの凸部５ａを一体突出形成してある。また、フロントパネル４のディスクカートリッジ挿入口５の上方及び下方の中央部には断面円弧状の上凹部４ｂ及び断面コ字状の下凹部４ｃをそれぞれ一体形成してある。この上，下凹部４ｂ，４ｃ間には、上記ディスクカートリッジ挿入口５を開閉する合成樹脂製のフロントドア（蓋体）１０を配置してある。このフロントドア１０は、上記フロントパネル４の断面コ字状の下凹部４ｃと該フロントドア１０の基部（下部）との間に介在され、両てこ機構（ｄｏｕｂｌｅ  ｌｅｖｅｒ  ｍｅｃｈａｎｉｓｍ：最短リンクに向かい合うリンクを固定した四節回転連鎖）を用いた蓋体開閉機構２０により開閉動自在に設けられている。
【００１３】
図１，９に示すように、フロントドア１０は断面略コ字状に形成されていると共に、その内面の中央と両側に３つの円筒状のリブ１０ａ，１０ａ，１０ａが一体突出形成されている。この各リブ１０ａには、金属製で断面Ｌ字形のプレート１１をネジ１２により締結固定してある。このプレート１１には、図９に示すように、フロントドア１０の閉時にディスクカートリッジ挿入口５の回りの凸部５ａに圧接して該ディスクカートリッジ挿入口５の全体を被うスポンジ部材（シール部材）１３を貼付してある。そして、このフロントドア１０がディスクカートリッジ挿入口５を閉塞した状態（フロントドア１０が閉まった状態）のときに、該フロントドア１０の上端内縁１０ｂはフロントパネル４の断面円弧状の上凹部４ｂに当接すると共に、図１６（ｂ）に示すように、フロントドア１０はフロントパネル４に対して０．５度傾くようになっている。さらに、フロントドア１０の内面の基部の両側には、各一対の円筒状のリブ１０ｃ，１０ｃを一体突出形成してある（図７に１箇所のみ示す）。
【００１４】
図１，図９に示すように、蓋体開閉機構２０は、前記フロントドア４の断面コ字状の下凹部４ｃに固定された金属製のパネルヒンジ（第１のリンク）２１と、このパネルヒンジ２１に支持された金属製で棒状の第１のシャフト（第１の支点軸）２２及び金属製で棒状の第２のシャフト（第２の支点軸）２３と、前記フロントドア１０の基部に取付けられた金属板状の一対のドアヒンジ（第３のリンク）２７，２７と、この一対のドアヒンジ２７，２７間にに支持された金属製で棒状の第３のシャフト（第３の支点軸）２４及び金属製で棒状の第４のシャフト（第４の支点軸）２５と、上記第２のシャフト２３と上記第３のシャフト２４とにそれぞれ支持された金属製の第２のリンク２６と、上記第１のシャフト２２と上記第４のシャフト２５とにそれぞれ支持された金属製の第４のリンク２８と、巻線部を上記第２のシャフト２３に挿通させると共にその両端部を上記パネルヒンジ２１と上記第２のリンク２６とに掛止させて上記フロントドア１０を開閉動させる方向に付勢する金属製の一対の捩りコイルバネ（弾性体）２９，２９とで大略構成されている。
【００１５】
図１（ａ），（ｂ）に示すように、パネルヒンジ２１は、長尺の平板部２１ａと該平板部２１ａの両端において垂直に折り曲げられた両側部２１ｂ，２１ｂとで凵字状に形成してある。そして、このパネルヒンジ２１の平板部２１ａがフロントドア４の下凹部４ｃの垂直壁部にネジ３０を介して締結固定されていることにより、該パネルヒンジ２１が図１０及び図１５に示す両てこ機構の固定リンクになっている。また、パネルヒンジ２１の両側部２１ｂ，２１ｂは略逆台形に形成してあり、図９及び図１４に示すように、該両側部２１ｂ，２１ｂの斜めの各前縁上部に略円弧部２１ｃを形成してある。この両側部２１ｂ，２１ｂの下部及び上部前側間に、上記第１のシャフト２２及び第２のシャフト２３を貫通させて各シャフト２２，２３の両端を各Ｅリング３１で抜け止めしてある。また、図１４に示すように、上記各側部２１ｂの前縁上部の略円弧部２１ｃは、フロントドア１０が開いた時（フロントドア１０が起立状態から９０度開動して水平状態になった時）に第４のシャフト２５が当たって該フロントドア１０の開状態を維持するストッパとして機能するようになっている。
【００１６】
図７に示すように、各ドアヒンジ２７は長尺の平板部２７ａと該平板部２７ａの相対向する端部において垂直に折り曲げられた側部２７ｂとでＬ字状に形成してある。この各ドアヒンジ２７の平板部２７ａがフロントドア１０の内面の基部両側の各一対の円筒状のリブ１０ｃ，１０ｃに各ネジ３２により締結固定されることにより、該各ドアヒンジ２７が図１０及び図１５に示す両てこ機構の固定リンクに対向する最短リンクになっている。また、図７，９に示すように、一対のドアヒンジ２７，２７の各側部２７ｂ，２７ｂ間に、上記第３のシャフト２４及び第４のシャフト２５を貫通させて各シャフト２４，２５の両端を各Ｅリング３３で抜け止めしてある。そして、この一対のドアヒンジ２７，２７の各側部２７ｂ，２７ｂ内の第２のリンク２６の両側部２６ｂ，２６ｂの前後に第２のシャフト２３及び第３のシャフト２４を貫通させている。この第２のリンク２６は、長尺で断面へ字形の平板部２６ａと該平板部２６ａの両端において垂直に折り曲げられた両側部２６ｂ，２６ｂとで冂字状に形成してあり、図８に示すように、該平板部２６ｂにより第３，第４のシャフト２４，２５等を被って外部から見えないようにしてある。さらに、第４のリンク２８も長尺の平板部２８ａと該平板部２８ａの両端において垂直に折り曲げられた両側部２８ｂ，２８ｂとで冂字状に形成してあり、該両側部２８ｂ，２８ｂの前後に第１のシャフト２２及び第４のシャフト２５を貫通させている。この第４のリンク２８は、図１１に示すように、フロントドア１０が４５度開いた状態において平衡点（思案点）になるように設定してある。即ち、フロントドア１０が閉じも開きもしない状態の位置を発生させるようになっている。
【００１７】
尚、図２，７に示すように、フロントパネル４の正面の中央には、円錐面状の凹部４ｄを形成して、フロントドア１０を開け易くしてある。また、フロントパネル４の正面左側には、光磁気ディスクＤを収納したディスクカートリッジを自動的にディスクカートリッジ挿入口５側に排出するイジェクト釦１４と、電源スイッチ１５を配置してある。さらに、ディスクカートリッジ挿入口５から空気と共に塵，埃等を吸い込まないように、該ディスクカートリッジ挿入口５内にはディスクカートリッジのローディング動作に連動して開閉する図示しない前蓋を取付けてある。
【００１８】
以上の一実施形態例の光磁気ディスクドライブ装置１によれば、ディスクカートリッジ挿入口５を完全に被うようにして開閉するフロントドア１０は、両てこ機構を用いた蓋体開閉機構２０によりディスクカートリッジ挿入口５を閉じた状態と開いた状態とにロック機構なしで維持される。図１１は、この際のフロントドア１０が閉まった状態から開いた状態になるまでの動作を、蓋体開閉機構２０の両てこ機構のリンク等の動きと共に現している。
【００１９】
図１２（ａ）は、フロントドア１０がディスクカートリッジ挿入口５を閉じている状態を示す。このフロントドア１０の閉状態において、捩りコイルバネ２９はパネルヒンジ２１と第２のリンク２６との間に働き矢印で示すＡの力を生じさせる。第２のリンク２６は上記Ａの力と支点である第２のシャフト２３により矢印で示すＢの力を生じる。第２のリンク２６とドアヒンジ２７は第３のシャフト２４で連結され、ドアヒンジ２７は第４のリンク２８と第４のシャフト２５で連結されているため、上記Ｂの力はドアヒンジ２７を介して第４のシャフト２５に矢印Ｃの力を生じさせる。その結果、第４のリンク２８には矢印で示すＤの力が生じる。フロントドア１０を閉じさせようとする力Ｅは、第２のリンク２６のＢの力と第４のシャフト２５のＣの力で発生することになる。この状態における蓋体開閉機構２０の両てこ機構の動きを図１２（ｂ）に示す。
【００２０】
この第２のリンク２６で発生する力Ｂと第４のシャフト２５で発生する力Ｃとでディスクカートリッジ挿入口５をフロントドア１０が閉じると、図１７（ａ），（ｂ）に示すように、フロントドア１０の背面に貼付されたスポンジ部材１３がフロントパネル４のディスクカートリッジ挿入口５の全周において高さ１ｍｍに一体突出形成された凸部５ａに押し当たってディスクカートリッジ挿入口５の防塵を達成する。このディスクカートリッジ挿入口５の全周に凸部５ａを設けてフロントドア１０との密閉度を強化する点について、図２０に示すディスクカートリッジ挿入口５の周りに凸部のない場合と比較して更に詳しく説明すると、図２０（ａ），（ｂ）に示すように、ディスクカートリッジ挿入口５の周りに凸部がない場合は、フロントドア１０を閉めた時に該フロントドア１０の裏面のスポンジ部材１３が面で当たることになる。このフロントドア１０は前述した蓋体開閉機構２０の両てこ機構によりフロントパネル４に押し当てられるが、フロントドア１０の裏面のスポンジ部材１３がディスクカートリッジ挿入口５の周りに面で当たると、該スポンジ部材１３は接触面によりたわみ変形を発生する。このスポンジ部材１３のたわみに対して該スポンジ部材１３が元に形に戻ろうとする復元力（反発力）は接触面積が大きくなると強くなり、その力はフロントドア１０を閉める力を妨げようとする。この復元力を弱くしフロントドア１０を閉める力を有効に作用させるためには、ディスクカートリッジ挿入口５とスポンジ部材１３との接触面積を可及的に小さくすればよい。そこで、図１７（ａ），（ｂ）に示すように、ディスクカートリッジ挿入口５の全周の前面側に高さ１ｍｍの凸部５ａを一体突出形成し、フロントドア１０が閉じられた時に該ディスクカートリッジ挿入口５の周りの凸部５ａがスポンジ部材１３に食い込むようにした。これにより、該スポンジ部材１３は接触を面接触から凸部５ａの頂点による線接触にすることができ、変形に対する復元力を弱くすることができる。また、フロントドア１０が閉じた状態におけるスポンジ部材１３の断面形状を見ても凸部５ａがスポンジ部材１３に食い込む形状は防塵に対して有効となる。
【００２１】
さらに、より効果的なフロントドア１０とディスクカートリッジ挿入口５の密閉性を得るために、図１６（ｂ）に示すように、フロントドア１０が閉まった状態をフロントパネル４に対して０．５度傾けてある。これを、図１６（ｃ）に示すフロントパネル１０をフロントパネル４に対して傾けない場合と比較して説明する。フロントドア１０によりディスクカートリッジ挿入口５を密閉する場合、図１６（ａ）に示すように、ディスクカートリッジ挿入口５に対して垂直にフロントドア１０を押し当てるのが理想的であるが、蓋体開閉機構２０が付いている場合はそれは不可能である。蓋体開閉機構２０が付いているフロントドア１０の閉まる動作を考えると、閉まる途中でスポンジ部材１３がディスクカートリッジ挿入口５の下側の凸部５ａに当たり該スポンジ部材１３がたわみ始める。そのため、上記たわみによりスポンジ部材１３に復元力が発生してフロントドア１０を閉じようとする動作を妨げてしまう。そこで、スポンジ部材１３がディスクカートリッジ挿入口５の下側の凸部５ａに当たる時期を遅らせ、該スポンジ部材１３のたわみによる復元力がフロントドア１０の閉じようとする動作を妨げないように、フロントドア１０を閉まった状態でフロントパネル４に対して０．５度傾けてある。これにより、より確実にフロントドア１０をフロントパネル４側に押し付けることができ、ディスクカートリッジ挿入口５のスポンジ部材１３による密閉動作を更に高めることができる。
【００２２】
このように、フロントドア１０によるフロントパネル４のディスクカートリッジ挿入口５の密閉と、フロントパネル４の裏面に貼付されたスポンジ部材６と記録・再生部としてのシャーシ９の前端との密着による装置本体２内部への記録・再生部の隔離により、防塵効果の優れた構造を実現することができる。即ち、これらの密閉状態において、ディスクカートリッジが装着されたシャーシ９内は外気と完全に遮断されるので、図１８，１９に示すように、ディスクカートリッジに収納された光磁気ディスクＤを回転させて記録，再生しても、該光磁気ディスクＤの回転によりシャーシ９内に乱流が発生することがなく、ディスクカートリッジ挿入口５とフロントドア１０間からの塵，埃等の流入を確実に防いで防塵性をより一段と向上させることができる。さらに、図１８，１９に示すように、冷却風供給口３ｂからファン７を介して電気基板８の冷却風を装置本体２内に供給してもシャーシ９内には塵，埃等のゴミが侵入することはなく、防塵効果の高い光磁気ディスクドライブ装置１を低コストで提供することができる。その結果、非接触型であるデータを読み書きする部分の光学ピックアップの対物レンズ及びデータを保管する光磁気ディスクＤ上に塵，埃等が付着することはなく、データの高い再現性が得られる。特に、レーザーの短波長化による高密度化、高速転送化に対しても十分に対応できる信頼性の高いものとなる。
【００２３】
次に、図１３（ａ）を用いて、フロントドア１０がディスクカートリッジ挿入口５を開いた状態における蓋体開閉機構２０の動作を説明する。この蓋体開閉機構２０のパネルヒンジ２１と第２のリンク２６との間に働く力Ａと第２のリンク２６に働く力Ｂは前述した閉じた状態と同じであるが、第４のシャフト２５に働く力Ｃと第４のリンク２８に働く力Ｄの方向が反対となる。これにより、フロントドア１０は開く方向にＥ′の力を発生することになる。この時の捩りコイルバネ２９の捩り角はフロントドア１０を閉じた状態の時と同じ位置であるため、フロントドア１０を開く力Ｅ′と閉める力Ｅは同じ力になる（Ｅ＝Ｅ′）。これは、図１１に示すように、蓋体開閉機構２０の両てこ機構の平衡点（思案点）をフロントドア１０の開閉角度の４５度の位置に設定したからである。フロントドア１０をこの平衡点よりも閉じる方向へ移動させると、捩りコイルバネ２９のバネ力がフロントドア１０を閉じる方向に働く第１の状態になり、フロントドア１０をこの平衡点よりも開く方向へ移動させると、捩りコイルバネ２９のバネ力がフロントドア１０を開く方向に働く第２の状態なる。この状態における蓋体開閉機構２０の両てこ機構の動きを図１３（ｂ）に示す。
【００２４】
図２７（ａ），（ｂ）に示す軸１本による単純ヒンジ機構１１１，１１１′を用いた従来技術では、フロントドア１１０を閉じさせる力Ｅは回転軸１１２の回りに発生する回転モーメントによる力Ｆのみであるため、閉じる力を強くするには引張りコイルバネ１１３或は捩りコイルバネ１１３′のバネ力を強くしなければならず、逆に強くし過ぎると１本の軸１１２を曲げようとする不利な力が強くなってしまう。また、開閉の中間で平衡点を持つ機構で、フロントドア１１０を閉める力を満足させる起動力を発生させるバネは変位量を大きくしなければならず、フロントパネル１０２とフロントドア１１０の間に入れることが難しかったが、本実施形態例の蓋体開閉機構２０を用いた場合は、図１２に示すように、フロントドア１０を閉じさせる力Ｅはフロントドア１０をフロントパネル４側に引っ張る力Ｂと第４のシャフト２５の回りに発生する回転モーメントによる力Ｃとが加わるので、１つの捩りコイルバネ２９の起動力を有効に活用することができる。また、回転軸である第１〜第４のシャフト２２〜２５は４本あるため、上記捩りコイルバネ２９のバネ力を強くしても軸を曲げようとする力は４本のシャフト２２〜２５に分散されるので軸を変形させることがない。さらに、本実施の形態例の蓋体開閉機構２０では、捩りコイルバネ２９の巻線部内に第２のシャフト２３を挿通しているため、捩りコイルバネ２９が第２のシャフト２３に対して捩れる変形力を受けることがなく、従来のヒンジ機構１１１，１１１′の場合のようなバネ変形（開閉時にこじれの原因となる変形）を防ぐためのガイド等が不要となり、機構全体の部品点数の削減及び小型軽量化をより一段と図ることができる。
【００２５】
次に、フロントドア１０の平衡点における動作について説明すると、図１１の中央に示すように、フロントドア１０が約４５度開くと、フロントドア１０が閉じも開きもしない状態が発生する。つまり、この状態がフロントドア１０の平衡点（死点）の状態であり、フロントドア１０を閉じさせる力Ｅはゼロ（Ｅ＝０）の状態である。この前後では、どちらかの方向に動こうとする力が発生する。この平衡点をフロントドア１０の開閉における約４５度の位置に設定したことは、フロントドア１０が閉まった状態で防塵効果をもたらすフロントドア１０をその平衡点まで開けなければ開かないことになる。また、平衡点の直前，直後は捩りコイルバネ２９の捩り角が一番大きくなるので、平衡点を乗り越えるためには力が掛かる。つまり、意識的に平衡点である４５度までフロントドア１０を開けない限り間違ってもフロントドア１０が開いてしまう心配がない。これにより、フロントドア１０の閉時には、該フロントドア１０によりディスクカートリッジ挿入口５を確実に遮蔽することができ、光磁気ディスクＤの回転時にシャーシ９内に空気の乱流が発生することがなく、ディスクカートリッジ挿入口５側からシャーシ９内に塵，埃等が吸い込まれることがない。さらに、フロントドア１０の開閉にロック機構が不要となるので、光磁気ディスクＤを回転自在に収納したディスクカートリッジの迅速な入れ替えが要求される場合でも十分に要求を満たすことができる。
【００２６】
また、フロントドア１０を開けていくと、図１４に示すように、第４のシャフト２５は第１のシャフト２２を中心に回転し、フロントドア１０が９０度開いた時に、該第４のシャフト２５がパネルヒンジ２１の両側部２１ｂの前縁上部の略円弧部２１ｃに当たり、この両側部２１ｂをフロントドア１０が９０度以上開かないためのストッパとしているため、この点からも蓋体開閉機構２０の部品点数を削減することができ、光磁気ディスクドライブ装置１全体の低コスト化及び小型軽量化を図ることができる。さらに、図３，８に示すように、フロントドア１０の開状態において蓋体開閉機構２０の各シャフト２２〜２５は第２のリンク２６により隠され、Ｅリング３１は第２のリング２６の両側部２６ｂ，２６ｂの内側に、Ｅリング３３はドアヒンジ２７の平板部２７ａで被ってあることにより、蓋体開閉機構２０のシャフトやＥリング等の機能部品が外から見えず、装置全体の美観、特にフロントドア１０が開いた時の美観をより一段と向上させることができる。
【００２７】
このように、防塵効果を達成するために、蓋体開閉機構２０に両てこ機構を用い、捩りコイルバネ２９による起動力（付勢力）をフロントドア１０の開閉動作に使ったことにより、従来技術の１本軸による単純なヒンジ機構１１１，１１１′を使ったものよりもフロントドア１０を閉めるのに有効な力を発生させることができ、ディスクカートリッジ挿入口５のフロントドア１０による密閉度を強化させることができる。また、図１１に示すように、蓋体開閉機構２０の両てこ機構における平衡点をフロントドア１０の開閉動作中の約４５度の位置に設けることにより、従来技術のようにロック機構を使わずにフロントドア１０を閉めることができ、ロックはずれ等の誤動作がなくなり確実な密閉防塵対策をすることができる。さらに、両てこ機構の平衡点はフロントドア１０が開いた状態と閉まった状態の中間の位置に設けられているため、フロントドア１０の開状態と閉状態の両方の状態に捩りコイルバネ２９のバネ力を作用させることができ、フロントドア１０を開けたい時は開いた状態を、閉めたい時は閉まった状態をそれぞれ維持させることができる。これにより、ディスクカートリッジの挿入時にはフロントドア１０を開けた状態に、それ以外には閉めた状態にすることができ、ロック解除の動作なしでスムーズに行うことができる。さらにまた、フロントドア１０の開けた状態のストッパ機構を蓋体開閉機構２０に併用させたことにより、光磁気ディスクドライブ装置１全体の部品点数を削減して低コスト化及び小型軽量化をより一層図ることができる。
【００２８】
尚、前記一実施形態例によれば、シール部材としてスポンジ部材を用いたが、ゴム部材等をシール部材としてもよい。また、弾性部材として金属製の捩りコイルバネを用いたが、金属製或は樹脂製の板バネ等を弾性部材としてもよい。さらに、記録媒体として光磁気ディスクを用いる光磁気ディスクドライブ装置について説明したが、記録再生装置は光磁気記録再生装置に限らず、記録媒体として光ディスク或は磁気ディスクを用いる他のディスクドライブ装置や、記録媒体として磁気テープを用いるＶＴＲ（ビデオテープレコーダ）等の他の記録再生装置に前記実施形態例を適用できることは勿論である。
【００２９】
以上のように、この発明によれば、装置本体の所定位置に、記録媒体挿入口を開閉する蓋体を、両てこ機構から成る蓋体開閉機構により開閉動自在に設け、上記蓋体開閉機構は、上記装置本体に固定された第１のリンクと、この第１のリンクに支持された第１及び第２の支点軸と、上記蓋体に取付けられた第３のリンクと、この第３のリンクに支持された第３及び第４の支点軸と、上記第２の支点軸と上記第３の支点軸とに支持された第２のリンクと、上記第１の支点軸と上記第４の支点軸とに支持された第４のリンクと、上記第１のリンクと上記第２のリンクとの間に介在され、付勢力が作用することにより、上記蓋体を開閉動させる弾性部材とで構成され、基準点を境として、上記弾性部材の付勢力が上記蓋体を閉じる方向に働く第１の状態と、上記蓋体を開く方向に働く第２の状態とを有するので、蓋体の閉状態または開状態を夫々維持することができる。その結果、記録媒体の挿入時には蓋体を開けた状態に、それ以外の時には蓋体を閉めた状態にすることが、ロック解除の動作なしでスムーズに行うことができ、記録媒体挿入口を閉じる際に、記録媒体挿入口を蓋体により隙間なく完全に遮蔽することができ、蓋体と記録媒体挿入口との間からの記録・再生部内への塵・埃等の進入を確実に防止できる。
【図面の簡単な説明】
【図１】（ａ）は、この発明の一実施形態例を示す光磁気ディスクドライブ装置のフロントドアが開いた状態を示す部分断面図、（ｂ）は、同図１（ａ）中の矢印Ｘ部分の拡大断面図。
【図２】上記フロントドアが開いた状態の光磁気ディスクドライブ装置の正面図。
【図３】上記フロントドアが開いた状態の光磁気ディスクドライブ装置の平面図。
【図４】上記フロントドアが開いた状態の光磁気ディスクドライブ装置の側面図。
【図５】上記光磁気ディスクドライブ装置の背面図。
【図６】上記フロントドアが閉じた状態の光磁気ディスクドライブ装置の正面図。
【図７】上記フロントドアが開いた状態の光磁気ディスクドライブ装置の拡大正面図。
【図８】上記フロントドアが開いた状態の光磁気ディスクドライブ装置のフロントパネル部分の拡大平面図。
【図９】上記フロントドアが閉じた状態のフロントパネル部分の断面図。
【図１０】上記フロントドアの閉状態におけるドア開閉機構に用いられる両てこ機構の骨組（スケルトン）図。
【図１１】上記フロントドアの開閉状態における上記ドア開閉機構の閉じた状態から開く状態までを順を追って説明する説明図。
【図１２】（ａ）は上記フロントドアが閉じた状態のフロントパネル部分の断面説明図、（ｂ）は同状態の上記ドア開閉機構に用いられる両てこ機構の骨組図。
【図１３】（ａ）は上記フロントドアが開いた状態のフロントパネル部分の断面説明図、（ｂ）は同状態の上記ドア開閉機構に用いられる両てこ機構の骨組図。
【図１４】上記フロントドアが開いた状態のストッパ部分の拡大説明図。
【図１５】上記両てこ機構の平衡点（思案点）等を説明するための骨組図。
【図１６】（ａ）は理想的な上記フロントドアの当て付け状態を示す断面説明図、（ｂ）は上記フロントドアをフロントパネルに対して０．５°傾けて閉まる状態を示す断面説明図、（ｃ）は上記フロントドアを傾けない状態の断面説明図。
【図１７】（ａ）は上記フロントパネルの凸部に上記フロントドアのスポンジ部材が接触している状態を示す断面説明図、（ｂ）は同フロントドアの閉時においてフロントドアの閉まりが悪くてもフロントパネルとフロントドア間に隙間が発生しない状態を示す部分断面図。
【図１８】上記フロントドアの閉時の空気の流れを示す平面説明図。
【図１９】上記フロントドアの閉時の空気の流れを示す側面説明図。
【図２０】（ａ）は上記フロントパネルに凸部がない場合のフロントドアの閉状態を示す断面説明図、（ｂ）は同フロントドアの閉時においてフロントドアの閉まりが悪いとフロントパネルとフロントドア間に隙間が発生する状態を示す部分断面図。
【図２１】従来例の光磁気ディスクドライブ装置の正面図。
【図２２】上記従来例の光磁気ディスクドライブ装置の背面図。
【図２３】上記従来例の光磁気ディスクドライブ装置の空気の流れを示す平面説明図。
【図２４】上記従来例の光磁気ディスクドライブ装置の空気の流れを示す側面説明図。
【図２５】他の従来例の光磁気ディスクドライブ装置の空気の流れを示す平面説明図。
【図２６】上記他の従来例の光磁気ディスクドライブ装置の空気の流れを示す側面説明図。
【図２７】（ａ）は、上記他の従来例の光磁気ディスクドライブ装置においてフロントパネルを開閉するフロントドアを引張りコイルバネで閉じた状態を示すフロントパネル部分の断面説明図、（ｂ）同フロントパネルを開閉するフロントドアを捩りコイルバネで閉じた状態を示すフロントパネル部分の断面説明図。
【符号の説明】
１…光磁気ディスクドライブ装置（記録再生装置）
２…装置本体
３ｂ…冷却風供給口
５…ディスクカートリッジ挿入口（記録媒体挿入口）
９…シャーシ（記録・再生部）
１０…フロントドア（蓋体）
２０…蓋体開閉機構
２１…パネルヒンジ（第１のリンク）
２２…第１のシャフト（第１の支点軸）
２３…第２のシャフト（第２の支点軸）
２４…第３のシャフト（第３の支点軸）
２５…第４のシャフト（第４の支点軸）
２６…第２のリンク
２７…ドアヒンジ（第３のリンク）
２８…第４のリンク
２９…捩りコイルバネ（弾性部材）
Ｄ…光磁気ディスク（記録媒体）
【図１】
0003694930.tif 000002
【図２】
0003694930.tif 000003
【図３】
0003694930.tif 000004
【図４】
0003694930.tif 000005
【図５】
0003694930.tif 000006
【図６】
0003694930.tif 000007
【図７】
0003694930.tif 000008
【図８】
0003694930.tif 000009
【図９】
0003694930.tif 000010
【図１０】
0003694930.tif 000011
【図１１】
0003694930.tif 000012
【図１２】
0003694930.tif 000013
【図１３】
0003694930.tif 000014
【図１４】
0003694930.tif 000015
【図１５】
0003694930.tif 000016
【図１６】
0003694930.tif 000017
【図１７】
0003694930.tif 000018
【図１８】
0003694930.tif 000019
【図１９】
0003694930.tif 000020
【図２０】
0003694930.tif 000021
【図２１】
0003694930.tif 000022
【図２２】
0003694930.tif 000023
【図２３】
0003694930.tif 000024
【図２４】
0003694930.tif 000025
【図２５】
0003694930.tif 000026
【図２６】
0003694930.tif 000027
【図２７】
0003694930.tif 000028